(57)【要約】  視認される像の歪みや異音を生じさせることなく、視認性を向上させることが可能な死角補助装置を提供する。  障害物によって遮られる死角領域の像を映す死角補助装置１００は、前記像を表す光ＭＬを入射し、視認者側に設けられ光ＭＬの一部を反射し一部を透過する半透過平面ミラー１１１と、光ＭＬを半透過平面ミラー１１１へ反射するミラー１１２とが互いに対向するように配置される一対の平行平面ミラー１１０と、半透過平面ミラー１１１の前記視認者側に設けられ、前記視認者側から半透過平面ミラー１１１に所定の角度で入射する光ＳＬを遮る複数のルーバー１２２ａ１〜１２２ａ５と、半透過平面ミラー１１１と複数のルーバー１２２ａ１〜１２２ａ５との間に設けられる隙間部Ａと、を備えてなる。
2017057000.tif 000002
【特許請求の範囲】
【請求項１】
障害物によって遮られる死角領域の像を映す死角補助装置であって、
前記像を表す光を入射し、視認者側に設けられ光の一部を反射し一部を透過する半透過ミラーと、光を前記半透過ミラーへ反射するミラーとが互いに対向するように配置される一対のミラーと、
前記半透過ミラーの前記視認者側に設けられ、前記視認者側から前記半透過ミラーに所定の角度で入射する光を遮る複数の遮光部と、
前記半透過ミラーと前記複数の遮光部との間に設けられる隙間部と、を備えてなることを特徴とする死角補助装置。
【請求項２】
前記複数の遮光部の各々は、前記視認者側から前記複数の遮光部のうち前記一対のミラーにおける光の進行方向に隣り合う他の遮光部と前記半透過ミラーとの間の前記隙間部を介して前記半透過ミラーに入射し、前記視認者の視点に向けて反射される光を遮ることが可能な長さで設けられてなることを特徴とする請求項１に記載の死角補助装置。
【発明の詳細な説明】
【技術分野】
【０００１】
本発明は、車両内のフロントピラーなどの障害物によって遮られる死角領域の像を映す死角補助装置に関する。
【背景技術】
【０００２】
従来、車両内のフロントピラーなどの障害物によって生じる死角を映す死角補助装置として、例えば、特許文献１に開示されたものが知られている。係る死角補助装置は、死角領域の像を表す光を入射し、視認者側に設けられ光の一部を反射し一部を透過する半透過ミラーと、光を半透過ミラーへ反射するミラーとが互いに対向するように配置される一対のミラーと、半透過ミラーの視認者側に設けられ、視認者側から所定の角度で入射する光を遮る複数の遮光部と、を備えてなるものである。
【先行技術文献】
【特許文献】
【０００３】
【特許文献１】特開２０１５−１２０４７７号公報
【発明の概要】
【発明が解決しようとする課題】
【０００４】
しかしながら、特許文献１に係る死角補助装置では、遮光部が半透過ミラーと接するように配置されるため、遮光部によって半透過ミラーが歪められて視認される像に歪みが生じたり、異音が発生したりするおそれがあるという問題点があった。【０００５】
本発明は、上記問題点に鑑みてなされたものであり、視認される像の歪みや異音を生じさせることなく、視認性を向上させることが可能な死角補助装置を提供することを目的とする。
【課題を解決するための手段】
【０００６】
上記目的を達成するため、本発明に係る死角補助装置は、障害物によって遮られる死角領域の像を映す死角補助装置であって、
前記像を表す光を入射し、視認者側に設けられ光の一部を反射し一部を透過する半透過ミラーと、光を前記半透過ミラーへ反射するミラーとが互いに対向するように配置される一対のミラーと、
前記半透過ミラーの前記視認者側に設けられ、前記視認者側から前記半透過ミラーに所定の角度で入射する光を遮る複数の遮光部と、
前記半透過ミラーと前記複数の遮光部との間に設けられる隙間部と、を備えてなることを特徴とする。
【発明の効果】
【０００７】
本発明によれば、視認される像の歪みや異音を生じさせることなく、視認性を向上させることが可能となる。
【図面の簡単な説明】
【０００８】
【図１】本発明の実施形態に係る死角補助装置が配置される車両の運転席付近の概観を示す図である。
【図２】同上死角補助装置の概観を示す平面図である。
【図３】同上死角補助装置の一対の平行平面ミラーを示す斜視図である。
【図４】同上死角補助装置を示す（ａ）斜視図及び（ｂ）断面図である。
【図５】同上死角補助装置を示す図である。
【図６】同上死角補助装置を示す図である。
【図７】同上死角補助装置を示す要部拡大図である。
【図８】同上死角補助装置を示す要部拡大図である。
【図９】比較例に係る死角補助装置を示す要部拡大図である。
【発明を実施するための形態】
【０００９】
本発明の一実施形態に係る死角補助装置を、図面を参照して説明する。
【００１０】
図１は本実施形態に係る死角補助装置１００が配置される車両１の運転席付近の概観を示す図である。車両１は、図１に示すように、ステアリング１０と、ウインドシールドガラス２０と、サイドガラス３０，４０と、フロントピラー５０，６０と、を備える。また、２１，２２は、ウインドシールドガラス２０の周辺部に印刷形成される遮光性の黒セラ（黒セラミック）部である。
【００１１】
車両１において、視認者（主に運転者）は、ウインドシールドガラス２０（黒セラ部２１の部分を除く）とサイドガラス３０，４０が配置される領域では風景を直接視認する一方、フロントピラー５０，６０と黒セラ部２１，２２が配置される領域ではフロントピラー５０，６０と黒セラ部２１，２２とによって視認者の視界が遮られ、風景を直接視認することができない死角領域が生じる。すなわち、フロントピラー５０，６０と黒セラ部２１，２２とは、本発明における障害物に該当する。
【００１２】
次に、図１〜図３に基づいて本実施形態に係る死角補助装置１００の基本構成について説明する。なお、図２は、死角補助装置１００の概観を示す平面図である。図２においては後述するケース体１２０のうち複数のルーバーのみを図示している。図３は、一対の平行平面ミラー１１０を示す斜視図である。
死角補助装置１００は、図１及び図２に示すように、視認者側から見て右側（運転者側）のフロントピラー５０に配置され、フロントピラー５０及び黒セラ部２１によって遮られる死角領域の像を映すものである。なお、死角補助装置１００は、視認者から見てフロントピラー５０及び黒セラ部２１と対向するように配置される。
【００１３】
死角補助装置１００は、図２及び図３に示すように、一対の平行平面ミラー（一対のミラー）１１０を備える。
【００１４】
一対の平行平面ミラー１１０は、入射した光の一部を反射し一部を透過する半透過平面ミラー（半透過ミラー）１１１と、平面ミラー（ミラー）１１２とが互いに平行に対向するように配置されることによって構成される。なお、半透過平面ミラー１１１と平面ミラー１１２は図示しないホルダ部材に配置されることで平行な位置関係で固定される。なお、本発明の一対のミラーは、互いに対向するように配置されるものであれば完全な平行に配置されなくともよく、また、平面ミラーでなく曲面ミラーであってもよい。
【００１５】
半透過平面ミラー１１１は、視認者側に配置され、例えばポリエチレンテレフタレート、ポリカーボネート、ポリエチレン、アクリル等の透光性の樹脂材料からなる基材の表面にアルミなどの金属を蒸着させることにより、所望の反射率を有するように反射率調整層を形成してなる。反射率調整層の厚さや種類などにより、反射率（透過率）が調整される。本実施形態の半透過平面ミラー１１１における透過光と反射光の光量比は、透過光：反射光＝１：４（反射率８０％）である。なお、半透過平面ミラー１１１は、基材の表面に誘電体多層膜をコーティングして形成してもよい。半透過平面ミラー１１１は、その入射側端部（入射側の側辺）Ｅ１０が平面ミラー１１２の入射側端部（入射側の側辺）Ｅ１１から迫り出すように配置され、半透過平面ミラー１１１と平面ミラー１１２とが水平方向に段違い状に配置されている。
【００１６】
平面ミラー１１２は、その平面（反射面）が半透過平面ミラー１１１の平面（半透過反射面）と平行となるように配置されるものであり、例えば上述の透光性樹脂材料からなる基材の表面にアルミなどの金属を蒸着させてなる平面アルミ蒸着ミラーである。
【００１７】
半透過平面ミラー１１１と平面ミラー１１２とは、それぞれの平面（半透過反射面及び反射面）が、一対の平行平面ミラー１１０における光ＭＬの進行方向（図３の矢印で示す）に対して垂直方向の幅が一対の平行平面ミラー１１０における光ＭＬの進行方向に向かって徐々に小さくなるように、略楔状に形成されている。視認者の視野範囲から外れる不要個所を除去して小型化及び軽量化するためである。また、半透過平面ミラー１１１と平面ミラー１１２とは互いの平面形状が相似である（ほぼ相似である場合を含む）。また、半透過平面ミラー１１１の入射側端部Ｅ１０と、平面ミラー１１２の入射側端部Ｅ１１とは、ウインドシールドガラス２０のガラス面に沿って傾斜している。ウインドシールドガラス２０のガラス面に近接して配置可能とするためである。
【００１８】
次に、図２を用いて、一対の平行平面ミラー１１０の作用について説明する。なお、図２は、視認者が運転席に着座した状態を示しており、視点Ｏは視認者の視点（アイポイント）を示している。
【００１９】
図２において、視認者（視点Ｏ）の前方視界には、フロントピラー５０（図示しないが黒セラ部２１も含む）によって遮られる死角領域Ｄが生じる。したがって、視点Ｏからは死角領域Ｄに存在する物体Ｍを直接視認することができない。
一方、物体Ｍからの光ＭＬは、一対の平行平面ミラー１１０に入射し、一対の平行平面ミラー１１０の間で反射を繰り返しつつ、一部の光ＭＬは一対の平行平面ミラー１１０から出射する（半透過平面ミラー１１１を透過する、あるいは半透過平面ミラー１１１と平面ミラー１１２との隙間から直接出射する）。なお、一対の平行平面ミラー１１０に入射し、一対の平行平面ミラー１１０の間で反射を繰り返すのは一対の平行平面ミラー１１０の平行な平面に対して傾きを有する光である。一対の平行平面ミラー１１０から出射する光ＭＬの一部は、視点Ｏに達する。したがって、視点Ｏからは直接視認できる風景と連続して平面ミラー１１２に映る物体Ｍの像を半透過平面ミラー１１１越しに視認することができ、フロントピラー５０を透過したような見え方となる。なお、死角領域Ｄのうちフロントピラー５０の背面側の僅かな領域（ハッチングで示す部分）は、この領域からの光が一対の平行平面ミラー１１０に入射できず、その像を一対の平行平面ミラー１１０によって映すことができないが、それ以外の殆どの領域において死角領域Ｄの像を一対の平行平面ミラー１１０によって映すことができる。
なお、死角領域Ｄの像を一対の平行平面ミラー１１０によって映すに当たって、視認者は、死角補助装置１００をフロントピラー５０の任意の高さ（視点Ｏに合った高さ）に、一対の平行平面ミラー１１０に死角領域Ｄの像が映るように、すなわち、死角領域Ｄからの光ＭＬが視点Ｏに達するように一対の平行平面ミラー１１０の角度を調整して配置する。半透過平面ミラー１１１と平面ミラー１１２とは互いの位置関係が平行に固定されるため、一度の配置作業で一対の平行平面ミラー１１０を同時に配置することができ、また、一度の調整作業で一対の平行平面ミラー１１０の角度を同時に調整することができる。
【００２０】
ところで、光ＭＬは一対の平行平面ミラー１１０の間で反射を繰り返すので、光ＭＬが半透過平面ミラー１１１にｎ回入射した場合、物体Ｍの像を示すｎ個の光ＭＬが１つの平行平面ミラー１１０から出射される。すなわち、一対の平行平面ミラー１１０からは視点Ｏの左右方向に沿って、ｎ個の物体Ｍの像を示す光ＭＬが出射することとなる。したがって、視認者は左右方向の広い範囲で物体Ｍの像を視認することができる。なお、一対の平行平面ミラー１１０から出射される光ＭＬは半透過平面ミラー１１１での反射回数が増加するのに伴って輝度が低下する。
【００２１】
次に、死角補助装置１００の外装構造について図４を用いて説明する。
【００２２】
図４に示すように、死角補助装置１００は、一対の平行平面ミラー１１０と、ケース体１２０と、を備える。図４（ａ）は死角補助装置１００を示す斜視図であり、図４（ｂ）は図４（ａ）のＸ−Ｘ線断面図である。図４においては、視認者から見て手前側を「前」、奥行き側を「後」として説明する。
【００２３】
ケース体１２０は、一対の平行平面ミラー１１０を収納するものであって、後ケース１２１と、前ケース１２２と、を備える。
【００２４】
後ケース１２１は、ポリウレタン樹脂などの遮光性の樹脂材料からなり、後壁部１２１ａと内側天壁部１２１ｂと内側底壁部１２１ｃとを一体的に形成してなる出射側の側方から見て略コの字状（逆Ｃの字状）の部材である。後壁部１２１ａには、内側天壁部１２１ｂ及び内側底壁部１２１ｃの間に位置するように平面ミラー１１２が配置される。内側天壁部１２１ｂ及び内側底壁部１２１ｃは、その解放端部１２１ｄ及び１２１ｅに半透過平面ミラー１１１が平面ミラー１１２と平行となるように載置される。
【００２５】
前ケース１２２は、後ケース１２１と同様にポリウレタン樹脂などの遮光性の樹脂材料からなり、複数のルーバー１２２ａ１〜１２２ａ５と外側天壁部１２２ｂと外側底壁部１２２ｃとを一体的に形成してなる枠状部材である。複数のルーバー１２２ａ１〜１２２ａ５は、外側天壁部１２２ｂと外側底壁部１２２ｃとの間に所定間隔で設けられる非透光性の板状部であり、半透過平面ミラー１１１の視認者側に位置し視認者側から所定の角度で（主として半透過平面ミラー１１１あるいは平面ミラー１１２で反射されて視点Ｏに至る入射角度で）一対の平行平面ミラー１１０に入射する外光を遮る遮光部として機能する。また、複数のルーバー１２２ａ１〜１２２ａ５は、その先端部が視認者側を向くように半透過平面ミラー１１１の視認者側の平面に対して所定の角度傾いて配置される。複数のルーバー１２２ａ１〜１２２ａ５の作用については後で詳述する。外側天壁部１２２ｂ及び外側底壁部１２２ｃは、それぞれ内側天壁部１２１ｂ及び内側底壁部１２１ｃの外側を覆うように設けられる。また、外側天壁部１２２ｂ及び外側底壁部１２２ｃは、上側あるいは下側から一対の平行平面ミラー１１０に入射する外光を遮る遮光壁の役割を有している。また、外側天壁部１２２ｂ及び外側底壁部１２２ｃには、内側天壁部１２１ｂ及び内側底壁部１２１ｃの解放端部１２１ｄ及び１２１ｅと対向するように段差部１２２ｄ及び１２２ｅが設けられている。段差部１２２ｄ及び１２２ｅは、前ケース１２２を後ケース１２１に組み付けた際に半透過平面ミラー１１１の周縁部と当接する位置に形成される。
【００２６】
ケース体１２０は、図４に示すように、入射側の側面に設けられ死角領域Ｄからの光ＭＬを入射する第一の開口部１２０ａと、出射側の側面に設けられ平面ミラー１１２で反射した光ＭＬを出射する第二の開口部１２０ｂと、前面に設けられ半透過平面ミラー１１１を露出させる第三の開口部１２０ｃと、を有する。第三の開口部１２０ｃは、ルーバー１２２ａ１〜１２２ａ５によって複数の領域に分割されている。
【００２７】
次に、図５を用いて、ルーバー１２２ａ１〜１２２ａ５の作用について説明する。なお、図５は、死角補助装置１００を手前側上方から見た図であり、図５においては図を見やすくするためにケース体１２０はルーバー１２２ａ１〜１２２ａ５以外の部分を省略して図示している。
【００２８】
一対の平行平面ミラー１１０には、死角領域Ｄからの光ＭＬ以外に視認者（視点Ｏ）側からも外光が入射する。視認者側から一対の平行平面ミラー１１０に入射する外光のうち、特に半透過平面ミラー１１１の平面の垂線ＰＬに対して光ＭＬの入射側に傾いて半透過平面ミラー１１１に入射する光（以下、迷光ＳＬという）は、その一部が半透過平面ミラー１１１で視点Ｏに向かって反射され、あるいは一部が半透過平面ミラー１１１を透過して平面ミラー１１２で反射されて、再度半透過平面ミラー１１１から視点Ｏに向かって出射され、平面ミラー１１２に映る物体Ｍの像の視認性を低下させる要因となる。これに対し、死角補助装置１００は、半透過平面ミラー１１１の視認者側にルーバー１２２ａ１〜１２２ａ５を設けることによって、半透過平面ミラー１１１に入射する迷光ＳＬを遮って高い視認性を確保することができる。ルーバー１２２ａ１〜１２２ａ５の長さ及び個数は、半透過平面ミラー１１１及び平面ミラー１１２によって視点Ｏに向けて反射されうる迷光ＳＬを遮る機能を果たすとともに、視点Ｏからの視界を過度に遮らないように適宜定められる。すなわち、ルーバー１２２ａ１〜１２２ａ５は、その長さが長いほど１個のルーバーで多くの迷光ＳＬを遮ることができるものの、左右の目の視差によって視認者に煩わしさを与えるおそれがある。これに対し、複数のルーバー１２２ａ１〜１２２ａ５を設けることでルーバー各々の長さを低減することができる。本実施形態では、５つのルーバー１２２ａ１〜１２２ａ５で迷光ＳＬを遮る機能を果たしている。なお、迷光ＳＬの全てがルーバー１２２ａ１〜１２２ａ５で遮られることが望ましいが、一部が遮られる場合であっても視認性向上の効果を得ることができる。
【００２９】
次に、ルーバー１２２ａ１〜１２２ａ５の配置位置及び角度について図６を用いて説明する。なお、図６は、死角補助装置１００を手前側上方から見た図であり、図６においては図を見やすくするためにケース体１２０のルーバー１２２ａ１〜１２２ａ５以外の部分を省略して図示している。
【００３０】
視点Ｏから一対の平行平面ミラー１１０の平面を視認すると、ルーバー１２２ａ１〜１２２ａ５の各々は、死角領域Ｄを含む前方視界における上下方向の線として視認される。また、平面ミラー１１２の入射側端部Ｅ１１も同様に視点Ｏから見て前方視界における上下方向の線として視認される。さらに、平面ミラー１１２の入射側端部Ｅ１１は、半透過平面ミラー１１１で反射され、平面ミラー１１２に映り込む複数の入射側端部の像Ｅ１２〜Ｅ１４が同様に視点Ｏから見て前方視界における上下方向の線として視認される。これらの線が全て別々に視認されると死角補助装置１００の視認性が損なわれるおそれがある。これに対し、本実施形態においては、ルーバー１２２ａ１〜１２２ａ５のうち、ルーバー１２２ａ２〜１２２ａ５を、基準視点位置として定める視点Ｏから見て、平面ミラー１１２の入射側端部Ｅ１１あるいは入射側端部の像Ｅ１２〜Ｅ１４と重なるように配置し、前方視界における上下方向の線を低減してルーバー１２２ａ１〜１２２ａ５を設ける構成であっても良好な視認性を確保している。
具体的には、まず、一対の平行平面ミラー１１０の平面側から見て、ルーバー１２２ａ２〜１２２ａ５を平面ミラー１１２の入射側端部（入射側の側辺）Ｅ１１と平行となる角度に設ける。
そして、ルーバー１２２ａ２を視点Ｏから見て入射側端部Ｅ１１と重なるように、視点Ｏと入射側端部Ｅ１１とを結ぶ直線ＳＡ２上に配置する。直線ＳＡ２は、視点Ｏから見て半透過平面ミラー１１１を介して背景を視認する領域（１回目）と、半透過平面ミラー１１１、平面ミラー１１２の順で光ＭＬが反射されて、再度（２回目）半透過平面ミラー１１１に入射する像を視認する領域との境界である。
また、ルーバー１２２ａ３を視点Ｏから見て平面ミラー１１２に映り込む入射側端部の像Ｅ１２と重なるように、視点Ｏと入射側端部Ｅ１１から一対の平行平面ミラー１１０の平面に対して垂直方向に半透過平面ミラー１１１と平面ミラー１１２との間隔ｄを２回分移動した点Ｅ２１とを結ぶ直線ＳＡ３上に配置する。直線ＳＡ３は、２回目に半透過平面ミラー１１１に入射する像とさらに半透過平面ミラー１１１、平面ミラー１１２の順で光ＭＬが反射されて、再度（３回目）半透過平面ミラー１１１に入射する像を視認する領域との境界であり、平面ミラー１１２の入射側端部の像Ｅ１２は直線ＳＡ３上で視認されるためである。
また、ルーバー１２２ａ４を視点Ｏから見て平面ミラー１１２に映り込む入射側端部の像Ｅ１３と重なるように、視点Ｏと点Ｅ２１から一対の平行平面ミラー１１０の平面に対して垂直方向に間隔ｄをさらに２回分移動した点Ｅ３１とを結ぶ直線ＳＡ４上に配置する。直線ＳＡ４は、３回目に半透過平面ミラー１１１に入射する像とさらに半透過平面ミラー１１１、平面ミラー１１２の順で光ＭＬが反射されて、再度（４回目）半透過平面ミラー１１１に入射する像を視認する領域との境界であり、平面ミラー１１２の入射側端部の像Ｅ１３は直線ＳＡ４上で視認されるためである。
また、ルーバー１２２ａ５を視点Ｏから見て平面ミラー１１２に映り込む入射側端部の像Ｅ１４と重なるように、視点Ｏと点Ｅ３１から一対の平行平面ミラー１１０の平面に対して垂直方向に間隔ｄをさらに２回分移動した点Ｅ４１とを結ぶ直線ＳＡ５上に配置する。直線ＳＡ５は、４回目に半透過平面ミラー１１１に入射する像とさらに半透過平面ミラー１１１、平面ミラー１１２の順で反射されて、再度（５回目）半透過平面ミラー１１１に入射する像を視認する領域との境界であり、平面ミラー１１２の入射側端部の像Ｅ１３は直線ＳＡ５上で視認されるためである。
【００３１】
また同様に、視点Ｏから一対の平行平面ミラー１１０の平面を視認すると、半透過平面ミラー１１１の入射側端部Ｅ１０も視点Ｏから見て前方視界における上下方向の線として視認される。これに対し、本実施形形態は、ルーバー１２２ａ１〜１２２ａ５のうち、ルーバー１２２ａ１を、基準視点位置として定められる視点Ｏから見て、半透過平面ミラー１１１と重なるように配置し、前方視界における上下方向の線を低減してルーバー１２２ａ１〜１２２ａ５を設ける構成であっても良好な視認性を確保している。
具体的には、まず、ルーバー１２２ａ１を半透過平面ミラー１１１の入射側端部（入射側の側辺）Ｅ１０と平行となる角度に設ける。
そして、ルーバー１２２ａ１を視点Ｏから見て入射側端部Ｅ１０と重なるように、視点Ｏと入射側端部Ｅ１０とを結ぶ直線ＳＡ１上に配置する。直線ＳＡ１は、視点Ｏから見て直接背景を視認する領域と半透過平面ミラー１１１を介して背景を視認する領域との境界である。
【００３２】
このようにルーバー１２２ａ１〜１２２ａ５を配置すると、ルーバー１２２ａ１〜１２２ａ５の半透過平面ミラー１１１の平面に対する角度は、それぞれ直線ＳＡ１〜ＳＡ５と半透過ミラー１１１とがなす角度θ１〜θ５と概ね一致する。角度θ１〜θ５は、入射側から出射側に向かって（一対の平行平面ミラー１１０の光ＭＬの進行方向に向かって）段階的に大きくなる（θ１＜θ２＜θ３＜θ４＜θ５）。
【００３３】
ルーバー１２２ａ１〜１２２ａ５の形状としては、半透過平面ミラー１１１側の厚さに対して視認者側の厚さが徐々に薄くなるように（楔形状となるように）形成されることが望ましい。これにより、視認者の実際の視点が視点Ｏに対して若干変化したとしても、ルーバー１２２ａ１〜１２２ａ５の楔角度に相当する範囲内では視認者に視認されるルーバー１２２ａ１〜１２２ａ５の幅が後端側の厚さに保たれるため、安定した視認性を保つことができる。
【００３４】
また、図５及び図６に示すように、半透過平面ミラー１１１とルーバー１２２ａ１〜１２２ａ５との間には隙間部Ａが設けられている。すなわち、ルーバー１２２ａ１〜１２２ａ５は、半透過平面ミラー１１１と非接触の状態となるように配置される。これにより、ルーバー１２２ａ１〜１２２ａ５の接触に起因した像の歪みや異音の発生を防ぐことができる。なお、隙間部Ａの長さ（大きさ）は任意である。
【００３５】
次に、図７〜図９を用いて半透過平面ミラー１１１とルーバー１２２ａ１〜１２２ａ５との間に隙間部Ａを設けたことに伴うルーバー１２２ａ１〜１２２ａ５の各々の長さの規定について説明する。図７及び図８は、本実施形態である死角補助装置１００の要部拡大図であり、図９は比較例に係る死角補助装置の要部拡大図である。なお、図７及び図９においては、複数のルーバー１２２ａ１〜１２２ａ５のうち、ルーバー１２２ａ２及び１２２ａ３のみが図示されているが、それ以外のルーバー１２２ａ１、及び１２２ａ４及び１２２ａ５についても同様である。
【００３６】
図９に示すように、半透過平面ミラー１１１とルーバー１２２ａ２及び１２２ａ３との間に隙間部Ａを設けた場合、ルーバー１２２ａ２の長さが短いと、迷光ＳＬの一部が半透過平面ミラー１１１とルーバー１２２ａ３との間の隙間部Ａを通過して半透過平面ミラー１１１の半透過反射面に入射し、視認者の視点Ｏに向けて反射されて視認性を低下させるおそれがある。
【００３７】
これに対し、本実施形態においては、複数のルーバー１２２ａ１〜１２２ａ４の各々を、視認者側から複数のルーバー１２２ａ１〜１２２ａ５のうち一対の平行平面ミラー１１０における光ＭＬの進行方向に隣り合う他のルーバー１２２ａ２〜１２２ａ５と半透過平面ミラー１１１との間の隙間部Ａを介して半透過平面ミラー１１１に入射し、視認者の視点Ｏに向けて反射される迷光ＳＬを遮ることが可能な長さで設けることとした。
具体的には、図７に示すように、上記の条件を満たす光ＭＬの入射側から２番目のルーバー１２２ａ２の最小長さＬ２は、以下のようにして規定することができる。まず、光ＭＬの入射側から３番目のルーバー１２２ａ３（ルーバー１２２ａ２に対する他のルーバー）の視認者から遠い端点を点Ｐ３、点Ｐ３から半透過平面ミラー１１１の半透過反射面に対して引いた垂線と半透過反射面との交点を点Ｑ３、点Ｐ３を点Ｑ３で折り返した点をＲ３、視点Ｏから点Ｒ３に引いた線分ＯＲ３と半透過平面ミラー１１１の半透過反射面との交点をＳ３、ルーバー１２２ａ２の角度基準線である直線ＳＡ２と半透過平面ミラー１１１との交点を点Ｔ２、点Ｓ３と点Ｐ３とを結ぶ直線と直線ＳＡ２との交点を点Ｕ２、点Ｕ２から半透過平面ミラー１１１の視認者側の平面に対して引いた垂線と半透過平面ミラー１１１の視認者側の平面との交点を点Ｖ２、点Ｕ２から点Ｖ２までの距離をＢ２とする。このとき、ルーバー１２２ａ２の最小長さＬ２は、点Ｔ２、点Ｕ２及び点Ｖ２を結んでなり内角の１つが角度θ２である直角三角形に相似し、内角の対辺の長さがＢ２−Ａである直角三角形の斜辺の長さと一致するため、以下の式１で表すことができる。
【数１】
2017057000.tif 000003
半透過平面ミラー１１１の半透過反射面で反射されて視点Ｏに至る迷光ＳＬのうち、ルーバー１２２ａ３と半透過平面ミラー１１１との間の隙間Ａを通過する迷光ＳＬは点Ｓ３と点Ｐ３とを結ぶ直線よりも深い角度で半透過反射面に入射するため、上記のようにルーバー１２２ａ２の最小長さＬ２を設定することによって、かかる迷光ＳＬをルーバー１２２ａ２で遮ることができる。なお、ルーバー１２２ａ２の実際の長さは上記のように設定される最小長さＬ２以上であれば良いが、視認者に煩わしさを与えないようにする観点から最小長さＬ２とほぼ等しい（等しい場合を含む）長さとすることが望ましい。
【００３８】
同様に、ルーバー１２２ａ１、１２２ａ３及び１２２ａ４の長さを設定することができる。
具体的には、図８に示すように、光ＭＬの入射側からｉ番目のルーバー１２２ａ（ｉ）の長さＬ（ｉ）は以下のようにして規定することができる（ｉは正の整数である）。まず、光ＭＬの入射側からｉ＋１番目の他のルーバー１２２ａ（ｉ＋１）の後端面のうち視認者から遠い端点を点Ｐ（ｉ＋１）、点Ｐ（ｉ＋１）から半透過平面ミラー１１１の平面に対して引いた垂線と半透過反射面との交点を点Ｑ（ｉ＋１）、点Ｐ（ｉ＋１）を点Ｑ（ｉ＋１）で折り返した点をＲ（ｉ＋１）、視認者の視点Ｏから点Ｒ（ｉ＋１）に引いた線分ＯＲ（ｉ＋１）と半透過平面ミラー１１１の半透過反射面との交点をＳ（ｉ＋１）、ｉ番目のルーバー１２２ａ（ｉ）の角度基準線である直線ＳＡ（ｉ）と半透過平面ミラー１１１との交点を点Ｔ（ｉ）、点Ｓ（ｉ）と点Ｐ（ｉ）とを結ぶ直線と直線ＳＡ（ｉ）との交点を点Ｕ（ｉ）、点Ｕ（ｉ）から半透過平面ミラー１１１の視認者側の平面に対して引いた垂線と半透過平面ミラー１１１の視認者側の平面との交点を点Ｖ（ｉ）、点Ｕ（ｉ）から点Ｖ（ｉ）までの距離をＢ（ｉ）とする。このとき、ｉ番目のルーバー１２２ａ（ｉ）の最小長さＬ（ｉ）は、点Ｔ（ｉ）、点Ｕ（ｉ）及び点Ｖ（ｉ）を結んでなり内角の１つが角度θ（ｉ）である直角三角形に相似し、内角の対辺の長さがＢ（ｉ）−Ａである直角三角形の斜辺の長さと一致するため、以下の式２で表すことができる。
【数２】
2017057000.tif 000004
なお、ｉ番目のルーバー１２２ａ（ｉ）の実際の長さは上記のように設定される最小長さＬ（ｉ）以上であれば良いが、視認者に煩わしさを与えないようにする観点から最小長さＬ（ｉ）とほぼ等しい（等しい場合を含む）長さとすることが望ましい。
【００３９】
なお、複数のルーバー１２２ａ１〜１２２ａ５のうち、最も光ＭＬの出射側に位置する光ＭＬの入射側から５番目のルーバー１２２ａ５については、他のルーバーに該当するルーバーがないため、上記の設定によらず任意の長さに設定される。
【００４０】
以上の構成からなる死角補助装置１００は、車両１内の障害物によって遮られる死角領域Ｄの像を映す死角補助装置１００であって、
前記像を表す光ＭＬを入射し、視認者側に設けられ光ＭＬの一部を反射し一部を透過する半透過平面ミラー１１１と、光ＭＬを半透過平面ミラー１１１へ反射する平面ミラー１１２とが互いに対向するように配置される一対の平行平面ミラー１１０と、
半透過平面ミラー１１１の視認者側に設けられ、視認者側から半透過平面ミラー１１１に所定の角度で入射する迷光ＳＬを遮るルーバー１２２ａ１〜１２２ａ５と、
半透過平面ミラー１１１と複数のルーバー１２２ａ１〜１２２ａ５との間に設けられる隙間部Ａと、を備える。
これにより、複数のルーバー１２２ａ１〜１２２ａ５の接触に起因する視認される像の歪みや異音の発生を生じさせることなく、視認性を向上させることができる。
【００４１】
また、複数のルーバー１２２ａ１〜１２２ａ４の各々は、前記視認者側から複数のルーバー１２２ａ１〜１２２ａ５のうち一対の平行平面ミラー１１０における光ＭＬの進行方向に隣り合う他のルーバー１２２ａ２〜１２２ａ５と半透過平面ミラー１１１との間の隙間部Ａを介して半透過平面ミラー１１１に入射し、前記視認者の視点Ｏに向けて反射される迷光ＳＬを遮ることが可能な長さで設けられてなる。
これによれば、隙間部Ａを設ける場合であっても、視認性の低下を抑制し、安定した視認性を保つことができる。
【００４２】
なお、本発明は上記実施形態及び図面によって限定されるものではない。上記実施形態及び図面に変更（構成要素の削除も含む）を加えることができるのはもちろんである。例えば、ルーバー１２２ａ１〜１２２ａ５は、軸部を介して配置するなどしてルーバー１２２ａ１〜１２２ａ５の角度を手動などで調整可能に配設してもよい。この場合、全てのルーバー１２２ａ１〜１２２ａ５を半透過平面ミラー１１１の平面に対して近づけて傾けた状態でルーバー１２２ａ１〜１２２ａ５によって半透過平面ミラー１１１の平面が覆われるようにすれば、不使用時に半透過平面ミラー１１１にゴミや埃が付着することを防止し、また、傷や破損を防止することができる。また、ルーバー１２２ａ１〜１２２ａ５を含む前ケース１２２をシリコーンなどの柔軟性を有する材料によって構成してもよい。これによれば、容易に前ケース１２２を着脱することができ、前ケース１２２を外して半透過平面ミラー１１１の汚れを除去しやすく、また、色やデザインにバリエーションを持たせて視認者が好みに応じて交換する際にも利便性が高い。さらに、視認者等が誤って死角補助装置１００に接触する際に緩衝部材としての機能を果たすことができる。また、本実施形態では、一対の平行平面ミラー１１０の間は中空であったが、一対の平行平面ミラー１１０の間に透明な樹脂材料（透光性部材）を充填する、透明な基材（透光性部材）の対向する一対の面に一対の平行平面ミラー１１０を設けるなどして中実構造としてもよい。これによって、埃や汚れなどが一対の平行平面ミラー１１０の内面に付着することを防止することができる。
【００４３】
本実施形態の死角補助装置１００は、車両１の運転席側から見て右側のフロントピラー５０に配置されるものであったが、左側のフロントピラー６０にも同様の死角補助装置が配置されてもよい。また、車両内の障害物として、フロントピラーの他にもセンターピラーやリアピラーなどに配置され、これらによって遮られる死角領域の像を映す死角補助装置であってもよい。
【００４４】
また、本発明は、車両以外の分野にも障害物によって遮られる死角領域の像を映す死角補助装置として広く適用することができる。例えば、本発明の死角補助装置を住宅に用いる場合、大面積の死角補助装置を天井に取り付けて入射部分のみを壁などから屋外に出すことで屋内に居ながら天井の死角補助装置で空の様子を見ることができ、また、天井から屋内に太陽光を導くことができる。住宅密集地や通常の窓を付けられない事情のある住宅には特に好適である。
また、例えば観光施設等の高層建築物で、高層階の床下に大面積の死角補助装置を埋め込み、光入射部分のみを屋外に出すことで、床下の死角補助装置で眼下の風景を直接足下に感じることが可能となり、建築物の高さを強調することができる。同様の効果を得るために、従来は床下に空間を設ける必要があったが、本発明の死角補助装置によれば既存の建築物にも容易に配置することができ好適である。
このほか、壁面に用いる例としては、道路に近接して塀が立っている見通しの悪い交差点などにおいて、塀の角に本発明の死角補助装置を配置することで、死角領域の歩行者や車両の存在をいち早く認識することができ、出会い頭の事故の防止に貢献することができる。
以上のように、本発明の死角補助装置は、電力などのエネルギーを必要とすることなく、これまで視認することができなかった障害物に遮られた死角領域を、光入射部分のスペースを確保するのみで広範囲に亘って障害物を透けたように視認させることができるものであり、その用途は室内外を問わず広く適用でき、健康、安全あるいは感動など多岐に亘る効果を得ることができる。
【産業上の利用可能性】
【００４５】
本発明は、障害物によって遮られる死角領域の像を映す死角補助装置に好適である。
【符号の説明】
【００４６】
１      車両
１００      死角補助装置
１１０      一対の平行平面ミラー（一対のミラー）
１１１      半透過平面ミラー（半透過ミラー）
１１２      平面ミラー（ミラー）
１２０      ケース体
１２１      後ケース
１２２      前ケース
１２２ａ１〜１２２ａ５  ルーバー（遮光部）
Ａ      隙間部
Ｏ      視点
【図１】
2017057000.tif 000005
【図２】
2017057000.tif 000006
【図３】
2017057000.tif 000007
【図４】
2017057000.tif 000008
【図５】
2017057000.tif 000009
【図６】
2017057000.tif 000010
【図７】
2017057000.tif 000011
【図８】
2017057000.tif 000012
【図９】
2017057000.tif 000013
【国際調査報告】
2017057000.tif 000014
2017057000.tif 000015
2017057000.tif 000016
2017057000.tif 000017